(57)【要約】【課題】  障子の建て込みに影響を及ぼすことなく金属枠の室内側に中空部の形成して、断熱性能を向上させる。【解決手段】内障子を案内する上枠の内周凹部のうち障子の閉鎖時における外障子の室内側の部分に樹脂カバーが設けられており、樹脂カバーは、樹脂カバー本体とフラップ部材を備え、樹脂カバー本体は、上枠の内周凹部の上面を覆う上壁部と、上枠の内周凹部の室外側面を覆う室外側壁部と、上枠の内周凹部の室内側面を覆う室内側壁部を有し、フラップ部材は、樹脂カバー本体の室外側壁部もしくは室内側壁部の下方部位に支持されており、樹脂カバー本体とフラップ部材とにより断熱空間が形成されている。【選択図】  図４
2020023832.tif 000002
【特許請求の範囲】
【請求項１】
内障子を案内する上枠の内周凹部のうち障子の閉鎖時における外障子の室内側の部分に樹脂カバーが設けられており
樹脂カバーは、樹脂カバー本体とフラップ部材を備え、
樹脂カバー本体は、上枠の内周凹部の上面を覆う上壁部と、上枠の内周凹部の室外側面を覆う室外側壁部と、上枠の内周凹部の室内側面を覆う室内側壁部を有し、
フラップ部材は、樹脂カバー本体の室外側壁部もしくは室内側壁部の下方部位に支持されており、樹脂カバー本体とフラップ部材とにより断熱空間が形成されている
サッシ。
【発明の詳細な説明】
【技術分野】
【０００１】
本発明は、上枠の内周面に樹脂カバーを配置して断熱性能を向上させたサッシに関する。
【背景技術】
【０００２】
内、外障子の閉鎖時における外障子の室内側で上枠の内周に樹脂カバーが設けられたサッシにおいて、樹脂カバーの下方に中空の塞ぎ部材を配置してなるサッシが公知となっている。
【先行技術文献】
【特許文献】
【０００３】
【特許文献１】特開2017-115531号公報
【発明の概要】
【発明が解決しようとする課題】
【０００４】
上記特許文献１に記載されたサッシは、上枠の室内に露出する部分に中空の塞ぎ部材を設けることによって、断熱性能の向上を図っている。
そして、内障子を容易にたてつけるためには、中空の塞ぎ部材を弾性材料によって形成したほうがよいが、弾性材料は場合によってはへたったり、また外れてしまったりする可能性もあった。
【０００５】
本発明は、上記の事情を鑑み、内、外障子の閉鎖時における外障子の室内側に対して、障子の建て込みに影響を及ぼすことなく安定した中空部の形成を可能にして、断熱性能を向上させることを目的とする。
【課題を解決するための手段】
【０００６】
本発明の一実施形態は、内障子を案内する上枠の内周凹部のうち障子の閉鎖時における外障子の室内側の部分に樹脂カバーが設けられており、樹脂カバーは、樹脂カバー本体とフラップ部材を備え、樹脂カバー本体は、上枠の内周凹部の上面を覆う上壁部と、上枠の内周凹部の室外側面を覆う室外側壁部と、上枠の内周凹部の室内側面を覆う室内側壁部を有し、フラップ部材は、樹脂カバー本体の室外側壁部もしくは室内側壁部の下方部位に支持されており、樹脂カバー本体とフラップ部材とにより断熱空間が形成されているサッシである。
【発明の効果】
【０００７】
本発明の一実施形態のサッシの構成により、室内側に露出する部位に、障子の建て込みに影響を及ぼすことなく広い断熱空間を形成することができ、断熱性能を向上することができる。
【図面の簡単な説明】
【０００８】
【図１】本発明の一実施形態に係るサッシの内観図である。
【図２】本発明の一実施形態に係るサッシの竪断面図である。
【図３】本発明の一実施形態に係るサッシの横断面図である。
【図４】本発明の一実施形態に係るサッシの通常時における上枠部分の竪断面図である。
【図５】本発明の一実施形態に係るサッシの内障子の建て込み時における上枠部分の竪断面図である。
【発明を実施するための形態】
【０００９】
本発明の一実施形態のサッシについて、図面を参考にして説明する。
（全体の構成）
図１に示すように、本実施形態のサッシは、上枠１１、下枠１２及び左、右竪枠１３，１４を四周に組んでなる枠体１の内周に上框２１，３１、下框２２，３２及び左、右竪框２３，３３，２４，３４を四周に組んで内周にガラス等のパネル体２５，３５を嵌め込んでなる内障子２及び外障子３を引違い自在に配置する引違いサッシとして構成されている。
【００１０】
（上枠の構成）
上枠１１は、アルミニウム合金等の金属材料により形成され、図２に示すように、建物の躯体開口部の内周面に配置される上枠本体部１１ａと、上枠本体部１１ａの室内側より下方に延設される室内側見付壁部１１ｂと、上枠本体部１１ａの見込方向の中央付近から下方に延設される中央見付壁部１１ｃと、上枠本体部１１ａの室外側より下方に延設される室外側見付壁部１１ｄと、中央見付壁部１１ｃと室外側見付壁１１ｄとの間から下方に延設される外上レール部１１ｅを有している。
【００１１】
上枠１１の室内側内周には、上枠本体部１１ａ、室内側見付壁部１１ｂ及び中央見付壁部１１ｃによって内周凹部１１ｆが形成されており、内周凹部１１ｆによって内障子２の上方部分を案内している。なお、上枠１１は、外上レール部１１ｅによって外障子３の上方部分を案内することで、内、外障子２，３を開閉している。
室内側見付壁部１１ｂ及び中央見付壁部１１ｃの室外側面にそれぞれ気密材保持部が形成されており、両気密材保持部に、それぞれ内障子２の上框２１及び外障子３の上框３１の室内側面に当接する気密材が保持されている。
【００１２】
上枠１１の内周凹部１１ｆのうち内、外障子２，３の閉鎖時における外障子３の室内側の部分に、上樹脂カバー５１が配置されており、上枠１１の室内側見付壁部１１ｂの室内側に、合成樹脂材料により形成されたアングル部材６１が配置されている。
アングル部材６１は、上枠１１の室内側見付壁部１１ｂに係合する取付部と、開口部内周面を覆うアングル部を有し、取付部とアングル部との間には、アングル部材６１の変形を防止する潰れ防止部材７１が配置されている。
【００１３】
（下枠の構成）
下枠１２は、図２に示すように、建物の躯体開口部の内周面に配置される下枠本体部１２ａと、下枠本体部１２ａより立設する室内側見付壁部１２ｂと、下枠本体部１２ａの室内側上面に設けられ内障子２を案内する内下レール部１２ｃと、内下レール部１２ｃの室外側に延設される気密材保持片１２ｄと、下枠本体部１２ａの室外側上面に設けられ外障子３を案内する外下レール部１２ｅを有している。
【００１４】
室内側見付壁部１２ｂの室外側面に気密材保持部が形成されており、室内側見付壁部１２ｂの気密材保持部及び気密材保持片１２ｄの先端部に、それぞれ内障子２の下框２２及び外障子３の下框３２の室内側面に当接する気密材が保持されている。
【００１５】
下枠１２の下枠本体部１２ａの上面であって室内側見付壁部１２ｂと内下レール部１２ｃの間に内下樹脂カバー５２１が配置され、下枠本体部１２ａの上面であって内下レール部１２ｃよりも室外側及び気密材保持片１２ｄの上面に外下樹脂カバー５２２が配置されており、下枠１２の室内側見付壁部１２ｂの室内側に、合成樹脂材料により形成されたアングル部材６２が配置されている。
アングル部材６２は、下枠１２の室内側見付壁部１２ｂに係合する取付部と、開口部内周面を覆うアングル部を有し、取付部とアングル部との間には、アングル部材６２の変形を防止する潰れ防止部材７２が配置されている。
【００１６】
（竪枠の構成）
左竪枠１３は、図３に示すように、建物の躯体開口部の内周面に配置される左竪枠本体部１３ａと、左竪枠本体部１３ａの室内側内周面に設けられた室内側見付壁１３ｂと、左竪枠本体部１３ａの見込方向で中央内周面に設けられた中央見付壁１３ｃと、左竪枠本体部１３ａの室外側内周面に設けられた室外側見付壁１３ｄを有している。
中央見付壁１３ｃと室外側見付壁１３ｄとによって、内、外障子２，３の閉鎖時に、外障子３の左竪框３３の先端が位置する障子受部を形成しており、中央見付壁１３ｃの室外側面に気密材保持部が形成されている。
【００１７】
障子受部には、内周に突出する突出片が形成されており、内、外障子２，３の閉鎖時に、外障子３の左竪框（戸先框）３３に設けられた引寄ブロックが当接することで左竪框３３を室内側に引き寄せて、中央見付壁１３ｃの室外側面の気密材保持部に保持された気密材に外障子３の左竪框３３の室内側面を密接させる。
【００１８】
左竪枠１３の左竪枠本体部１３ａの内周面であって室内側見付壁１３ｂと中央見付壁１３ｃの間に左樹脂カバー５３が配置されている。
【００１９】
右竪枠１４は、図３に示すように、建物の躯体開口部の内周面に配置される右竪枠本体部１４ａと、右竪枠本体部１４ａの室内側内周面に設けられた室内側見付壁１４ｂと、右竪枠本体部１４ａの見込方向で中央内周面に設けられた中央見付壁１４ｃと、右竪枠本体部１４ａの室外側内周面に設けられた室外側見付壁１４ｄを有している。
室内側見付壁１４ｂと中央見付壁１４ｃとによって、内、外障子２，３の閉鎖時に、内障子２の右竪框（戸先框）２４の先端が位置する障子受部を形成しており、室内側見付壁１４ｂの室外側面に気密材保持部が形成されている。
【００２０】
障子受部には、内周に突出する突出片が形成されており、内、外障子２，３の閉鎖時に、内障子２の右竪框２４に設けられた引寄ブロックが当接することで右竪框２４を室内側に引き寄せて、室内側見付壁１４ｂの室外側面の気密材保持部に保持された気密材に内障子２の右竪框２４の室内側面を密接させる。
【００２１】
右竪枠１４の室内側見付壁１４ｂの室内側に合成樹脂材料により形成されたアングル部材６４が配置されている。アングル部材６４は、右竪枠１４の室内側見付壁１４ｂに係合する取付部と、開口部内周面を覆うアングル部を有し、取付部とアングル部との間には、アングル部材６４の変形を防止する潰れ防止部材７４が配置されている。
【００２２】
（内障子及び外障子）
内障子２及び外障子３の構成について、主に内障子２を用いて説明し、外障子３については、内障子２と異なる部分についてのみ説明する。
【００２３】
内障子２を構成する各框材は、金属材料からなりそれぞれ中空部を有する金属框材と、金属框材の室内側に配置される樹脂框材を有している。
上框２１は、図２に示すように、金属上框２１１と樹脂上框２１２を有し、樹脂上框２１２は、金属上框２１１の上方部位を除く室内側を覆い、室内側に露出した金属上框２１１の上方部位に上枠１１の室内側見付壁部１１ｂに配置された気密材が当接している。
【００２４】
下框２２は、図２に示すように、金属下框２２１と樹脂下框２２２を有し、金属下框２２１は、中空部を有する下框本体部２２１ａと、パネル体２５を保持するパネル間口２２１ｂを備えている。樹脂下框２２２は、下框本体部２２１ａの室内側に位置する複数の中空部を有し、金属下框２２１の下方部位を除く室内側を覆い、室内側に露出した金属下框２２１の下方部位に下枠１２の室内側見付壁部１２ｂに配置された気密材が当接している。
【００２５】
下框２２は、樹脂下框２２２の複数の中空部の下面に、下枠１２の室内側に配置されるアングル部材６２の上面に向かって延びる複数（図２では、２つ）のヒレ片を長手方向に沿って有している。
【００２６】
左竪框（召合框）２３は、図３に示すように、金属左竪框２３１と樹脂左竪框２３２を有し、金属左竪框２３１の室外側面には、外障子３の右竪框（召合框）３４との間を気密する気密材と、煙返し片が設けられている。気密材は、２条の片（一片及び他片）を有している。
【００２７】
樹脂左竪框２３２は、金属左竪框２３１の室内側面および外周側面を覆い、外周側面を覆う部位の室外側部分から金属左竪框２３１に設けた気密材に沿うように突条片２３１ａが形成されている。
【００２８】
右竪框（戸先框）２４は、図３に示すように、金属右竪框２４１と樹脂右竪框２４２を有し、金属右竪框２４１は、中空部を有する右竪框本体部２４１ａと、パネル体２５を保持するパネル間口２４１ｂと、右竪框本体部２４１ａの外周に形成される戸先溝部２４１ｃを備えており、戸先溝部２４１ｃには右竪枠１４の突出片に当接する引寄ブロックが配置されている。
【００２９】
樹脂右竪框２４２は、右竪框本体部２４１ａとパネル間口２４１ｂの室内側に配置され、戸先溝部２４１ｃの室内側には配置されておらず、室内側に露出した戸先溝部２４１ｃの室内側面が右竪枠１４の室内側見付壁１４ｂに配置された気密材に当接している。
【００３０】
外障子３を構成する下框３２は、図２に示すように、内障子２の下框２２と同様に、金属下框３２１と樹脂下框３２２を有しており、樹脂下框３２２の中空部が複数ではなく、比較的大きな一つの中空部によって形成されている点で内障子２の下框２２と異なっている。
外障子３の樹脂下框３２２の中空部の下面には、下枠１２に配置される外下樹脂カバー５２２の上面に向かって延びる複数（図２では、２つ）のヒレ片を長手方向に沿って有している。
【００３１】
外障子３を構成する右竪框（召合框）３４は、アルミニウム合金等の金属材料からなり、図３に示すように、中空部を有する右竪框本体部３４ａと、パネル体３５を保持するパネル間口３４ｂを備えている。パネル間口３４ｂを形成する室内側間口壁は中空状に形成されており、内、外障子２，３の閉鎖時に内障子２の金属左竪框２３１に設けられた気密材の一片に当接している。また、室内側間口壁の内周に樹脂カバー材３４２が設けられており、内、外障子２，３の閉鎖時に内障子２の金属左竪框２３１に設けられた気密材の他片及び樹脂左竪框２３２に設けられた突条片２３１ａに近接もしくは当接している。
【００３２】
右竪框本体部３４ａの室内側面に、煙返し片が設けられており、内障子２の金属左竪框２３１に設けられた煙返し片とともに煙返しを形成している。
その他外障子の上框、戸先框の構成については、内障子２のそれとほぼ同様であるので、ここでの説明は省略する。
【００３３】
（上樹脂カバー部材）
本実施形態のサッシの上枠部分の構成について、さらに詳細に説明する。
本実施形態のサッシにおいては、図４に示すように、内障子２を案内する上枠１１の内周凹部１１ｆのうち、内，外障子２，３の閉鎖時における外障子３の室内側部分に、上樹脂カバー５１が設けられている。
【００３４】
上樹脂カバー５１は、上枠１１の内周凹部１１ｆに取り付けられる樹脂カバー本体５１１と、樹脂カバー本体５１１に揺動自在に支持されるフラップ部材５１２を備えている。
【００３５】
樹脂カバー本体５１１は、上枠１１の内周凹部１１ｆを形成する上枠本体部１１ａの内周面（内周凹部１１ｆの上面）を覆う上壁部５１１ａと、内周凹部１１ｆを形成する室内側見付壁部１１ｂの室外側面（内周凹部１１ｆの室内側面）を覆う室内側壁部５１１ｂと、内周凹部１１ｆを形成する中央見付壁部１１ｃの室内側面（内周凹部ｆの室外側）を覆う室外側壁部５１１ｃと、を備えている。
【００３６】
室内側壁部５１１ｂは、下端に、室内側見付壁部１１ｂの気密材保持部に載置係合可能な係合部を有し、係合部の近傍に軟質の合成樹脂材料によりなる室内側フラップ部５１１ｄが室外側に向けて延設されている。なお、樹脂カバー本体５１１は、室内側フラップ部５１１ｄ以外の部位は硬質の合成樹脂材料で形成されていることが好ましい。
【００３７】
室外側壁部５１１ｃは、中央見付壁部１１ｃの室内側面を覆う第１中空部５１１ｅと、第１中空部５１１ｅの下端から室外側に延び中央見付壁部１１ｃの下面を覆う第２中空部５１１ｆと、第１中空部５１１ｅの下端から室内側に延びる第３中空部５１１ｇを有し、全体で逆Ｔ字状を成している。
【００３８】
第１中空部５１１ｅの下方部位で第２中空部５１１ｆの上方に、中央見付壁部１１ｃの下端に形成された係合爪に係合する係合部５１１ｈが設けられている。
また、第３中空部５１１ｇの上面で第１中空部５１１ｅの下方位置に、フラップ部材５１２を揺動自在に支持するフラップ支持部５１１ｉが形成されている。
【００３９】
室外側壁部５１１ｃの下面、すなわち第２中空部５１１ｆ、第３中空部５１１ｇの下面には、見込み方向に並ぶ２条のヒレ片が下方に向かって形成されており、２条のヒレ片は、外障子３の閉鎖時において、外障子３の上框３１の樹脂上框３１２に近接している。
【００４０】
フラップ部材５１２は、下方室外側に形成された支持脚部５１２ｂと、支持脚部５１２ｂの室内側端から立ち上がる見付壁部５１２ｃと、見付壁部５１２ｃの上端から室内側に延びる見込壁部５１２ａとを有している。
【００４１】
そして、フラップ部材５１２は、支持脚部５１２ｂの室外側端部が樹脂カバー本体５１１の室外側壁部５１１ｃの下方部位に形成されたフラップ支持部５１１ｉに揺動自在に支持されており、支持脚部５１２ｂの室内寄り下面が室外側壁部５１１ｃの第３中空部５１１ｇの上面に載置されることで、見付壁部５１２ｃが室外側壁部５１１ｃに対して所定間隔をあけて垂直状態に維持されるとともに、見込壁部５１２ａが上壁部５１１ａに対して所定間隔をあけて水平状態に維持される。
【００４２】
さらに、フラップ部材５１２の見込壁部５１２ａの室内側端部が樹脂カバー本体５１１の室内側フラップ部５１１ｄに近接することで上樹脂カバー５１の底壁部が形成され、上樹脂カバー５１は、樹脂カバー本体５１１とフラップ部材５１２とによって、室外側と上側に連続する断熱空間Ｓ１が形成されている。
【００４３】
そして、上樹脂カバー５１を、上枠１１に配置するに際しては、上枠１１の内周凹部１１ｆに対して上樹脂カバー５１を下方から挿入することにより、樹脂カバー本体５１１の弾性により上樹脂カバー５１が変形して、室内側見付壁部１１ｂの気密材保持部と中央見付壁部１１ｃの下端に形成された係合爪との間を通過し、その後、室内側壁部５１１ｂの係合部が室内側見付壁部１１ｂの気密材保持部に係合するとともに、第１中空部の係合部５１１ｈが中央見付壁部１１ｃの係合爪に係合することで、上樹脂カバー５１を取付けることができる。
【００４４】
内周凹部１１ｆに取り付けられた上樹脂カバー５１は、内周凹部１１ｆの内周面に金属部が露出しないように配置され、内周凹部１１ｆの上方部分及び室外側部分に連続する比較的大きな断熱空間Ｓ１を形成するので、障子の閉鎖時における外障子３の室内側の上枠１１における断熱性能を向上させることができる。
【００４５】
そして、内障子２の建て込み時には、図５に示すように、内障子２の上端がフラップ部材５１２に当接することによってフラップ部材５１２は支持脚部５１２ｂを中心に回動するので、上樹脂カバー５１を硬質の合成樹脂材料により形成して比較的大きな断熱空間を形成しながら、内障子２の容易な建て込みを可能にしている。
【００４６】
以上のように、本実施形態のサッシにおいては、内、外障子２，３の閉鎖時において室内に露出する上枠１１の外障子３の室内側部位に大きな断熱空間を備えた上樹脂カバー５１を配置しているので、断熱性能を向上させることができる。
しかも、上樹脂カバー５１の全ての部分もしくは大部分を硬質の合成樹脂材料によって形成することができるので、経時劣化による性能低下を抑えることができる。
【００４７】
また、フラップ部材５１２を樹脂カバー本体５１１の下方部位に支持しているので、上樹脂カバー５１が内周凹部１１ｆ内に配置された際に樹脂カバー本体５１１に製造誤差等による多少の変形が生じた場合であっても、フラップ部材５１２の支持に影響を与えることが少ないので、フラップ部材５１２を適切な状態に維持することができ、広い断熱空間を確実に維持することができる。
【００４８】
また、上樹脂カバー５１の底壁部を、室外側のフラップ部材５１２と室内側の室内側フラップ部５１１ｄとの二つの部材により構成することで、フラップ部材５１２の許容揺動角を大きくすることができ、内障子２のスムーズな建て込みを可能としている。さらに、上樹脂カバー５１の室内側フラップ部５１１ｄを軟質の合成樹脂で形成するとともに、見込み方向に短い幅で形成することにより、形成が容易であり、内障子２の建て込み時における破損を防止するとともに、室内側フラップ部５１１ｄのへたり等による断熱空間Ｓ１の変形を最小限に抑えることができる。
【００４９】
なお、以上の実施形態は，請求項に記載された発明を限定するものではなく，例示として取り扱われることは言うまでもない。
例えば、本実施形態のサッシでは、上樹脂カバー５１の底壁部をフラップ部材５１２と室内側フラップ部５１１ｄにより形成したが、フラップ部材５１２のみによって形成してもよく、また、フラップ部材５１２と室内側フラップ部５１１ｄとが接触するようしてもよい。
また、フラップ部材５１２は、上樹脂カバー５１の室内側壁部５１１ｂの下方部位に揺動自在に支持してもよい。
また、サッシは、引違いサッシに限定されず、外障子がはめ殺しとなったサッシでもよい。
【符号の説明】
【００５０】
１        ：枠体
２        ：内障子
３        ：外障子
１１      ：上枠
１１ｆ    ：内周凹部
５１      ：上樹脂カバー（樹脂カバー）
５１１    ：樹脂カバー本体
５１１ａ  ：上壁部
５１１ｂ  ：室内側壁部
５１１ｃ  ：室外側壁部
５１２    ：フラップ部材
Ｓ１      ：断熱空間
【図１】
2020023832.tif 000003
【図２】
2020023832.tif 000004
【図３】
2020023832.tif 000005
【図４】
2020023832.tif 000006
【図５】
2020023832.tif 000007